(57)【特許請求の範囲】
【請求項１】
装着される装置本体からの内部電源と、
軸端子、接片端子、接触端子を有し、ＡＣアダプタのプラグの挿入を受けることによって、外部からの電源供給を受けるジャックと、
前記装置本体からの内部電源と前記ＡＣアダプタからの外部電源のいずれかを切り換えにより選択出力する切換スイッチと、
前記ジャックの接触端子がＣＬＲ端子に接続され、前記切換スイッチからの出力電圧をＣＫ端子に受け、基準電位にＤ端子が接続され、前記切換スイッチから出力される前記装置本体からの電源電圧あるいは前記ジャックよりの外部電源電圧を遅延素子を介してＰＲ端子に受けるＤ型フリップフロップとを備え、
前記切換スイッチが前記装置本体の内部電源側に投入されており、かつ前記ＡＣアダプタのプラグが前記ジャックに挿入されていない場合に、前記ジャックの接触端子よりの信号が前記ＣＬＲ端子に入力されることにより前記Ｄ型フリップフロップがリセットされて、外部電源の供給が正常でないことを示す第１の論理状態の信号を出力し、
前記切換スイッチが前記装置本体の内部電源側に投入されており、かつ前記ＡＣアダプタのプラグが前記ジャックに挿入された場合に、前記外部電源電圧が前記ジャックの軸端子より前記遅延素子を経て前記ＰＲ端子へ印加されて前記Ｄ型フリップフロップがプリセットされ、その後の内部電源のオンで、前記内部電源から前記切換スイッチを経て前記ＣＫ端子に入力されるオン電源に応答して、前記Ｄ型フリップフロップがリセットされて前記第１の論理状態の信号を出力し、
前記切換スイッチが外部電源側に投入されており、かつ前記ＡＣアダプタのプラグが前記ジャックに挿入された場合に、前記外部電源電圧が前記ジャックの軸端子より前記遅延素子を経て前記ＰＲ端子に印加される前に、前記外部電源電圧が前記切換スイッチを経て前記ＣＫ端子に入力されることにより前記Ｄ型フリップフロップがセットされて前記外部電源の供給が正常であることを示す第２の論理状態の信号を出力するようにしたことを特徴とする電子機器の付属装置。
【発明の詳細な説明】
【０００１】
【発明の属する技術分野】
この発明は、電子機器のオプション（付属装置）に関する。
【０００２】
【従来の技術】
一般に、２以上の電源からの電力供給を可能とした電源の切り換えを円滑に行い、動作が不安定にならないようにする技術は知られている（例えば、特許文献１参照）。
【０００３】
一方、近年、複合機（ファクシミリ装置・複写機能等の多機能を有する）や、コンピュータなどで、２以上のオプション（ハードウェア）を装着可能としたものが知られている。
【０００４】
【特許文献１】
特開平９−９１８４１号公報
【０００５】
【発明が解決しようとする課題】
オプションを装着する電子機器において、オプションの数・組み合わせにより、装置本体からの電力で賄えるか、外部の別電源が必要かが変わってくる。外部電源が必要となった場合には、装置本体からの電源供給から、外部電源に切り換わる設定をしておく必要がある。一般の電子機器では、単にＡＣアダプタのプラグを差せば、外部電源に切り換わるが、オプションの数・組み合わせによって装置本体の電源のみで良いか、外部電源が必要かは上述のように異なるので、一般の電子機器のようにＡＣアダプタのプラグの抜き差しのみで切り換えることはできない。例えば、オプションがフル接続され、各オプションは外部電源から電源供給する必要があり、ＡＣアダプタ接続されていても、設定が本体電源側に投入していれば、そのまま動作が開始され、不適切な電源使用であることが外見上、知ることが出来ない。
【０００６】
この発明は上記問題点に着目してなされたものであって、装置本体の他に、オプションを組み合わせて使用する場合に、外部電源の接続及びスイッチの切り換えを確実に行わせ、電源容量の不足により生じる電圧低下によるオプションの動作不良を防止し得る電子機器のオプション（付属装置）を提供することを目的としている。
【０００７】
【課題を解決するための手段】
この発明の電子機器の付属装置は、装着される装置本体からの内部電源と、軸端子、接片端子、接触端子を有し、ＡＣアダプタのプラグの挿入を受けることによって、外部からの電源供給を受けるジャックと、前記装置本体からの内部電源と前記ＡＣアダプタからの外部電源のいずれかを切り換えにより選択出力する切換スイッチと、前記ジャックの接触端子がＣＬＲ端子に接続され、前記切換スイッチからの出力電圧をＣＫ端子に受け、基準電位にＤ端子が接続され、前記切換スイッチから出力される前記装置本体からの電源電圧あるいは前記ジャックよりの外部電源電圧を遅延素子を介してＰＲ端子に受けるＤ型フリップフロップとを備え、前記切換スイッチが前記装置本体の内部電源側に投入されており、かつ前記ＡＣアダプタのプラグが前記ジャックに挿入されていない場合に、前記ジャックの接触端子よりの信号が前記ＣＬＲ端子に入力されることにより前記Ｄ型フリップフロップがリセットされて、外部電源の供給が正常でないことを示す第１の論理状態の信号（「Ｌ」信号）を出力し、前記切換スイッチが前記装置本体の内部電源側に投入されており、かつ前記ＡＣアダプタのプラグが前記ジャックに挿入された場合に、前記外部電源電圧が前記ジャックの軸端子より前記遅延素子を経て前記ＰＲ端子へ印加されて前記Ｄ型フリップフロップがプリセットされ、その後の内部電源のオンで、前記内部電源から前記切換スイッチを経て前記ＣＫ端子に入力されるオン電源に応答して前記Ｄ型フリップフロップがリセットされて前記第１の論理状態の信号を出力し、前記切換スイッチが外部電源側に投入されており、かつ前記ＡＣアダプタのプラグが前記ジャックに挿入された場合に、前記外部電源電圧が前記ジャックの軸端子より前記遅延素子を経て前記ＰＲ端子に印加される前に、前記外部電源電圧が前記切換スイッチを経て前記ＣＫ端子に入力されることにより前記Ｄ型フリップフロップがセットされて前記外部電源の供給が正常であることを示す第２の論理状態の信号（［Ｈ］信号）を出力するようにしたことを特徴とする。
【０００８】
この発明の電子機器の付属装置において、外部電源を使用する必要のある場合、ジャックにＡＣアダプタのプラグが挿入されており、かつ切換スイッチで外部電源が選択されていると、Ｄ型フリップフロップは、外部電源電圧がジャックの軸端子より遅延素子を経てＰＲ端子に印加される前に、その外部電源電圧が切換スイッチを経てＣＫ端子に入力されることによりセットされて外部電源の供給が正常であることを示す第２の論理状態の信号（［Ｈ］信号）を出力する。この第２の論理状態の信号を本体装置に送り、本体装置の表示部に正常を表示することができる。
一方、切換スイッチが装置本体の内部電源側に投入されており、かつＡＣアダプタのプラグがジャックに挿入されていない場合に、Ｄ型フリップフロップは、ジャックの接触端子よりの信号が前記ＣＬＲ端子に入力されることによりリセットされて、外部電源の供給が正常でないことを示す第１の論理状態の信号（「Ｌ」信号）を出力する。この第１の論理状態の信号を本体装置に送り、本体装置の表示部に異常を表示する。
また、切換スイッチが前記装置本体の内部電源側に投入されており、かつＡＣアダプタのプラグが前記ジャックに挿入された場合に、Ｄ型フリップフロップは、外部電源電圧が前記ジャックの軸端子より前記遅延素子を経て前記ＰＲ端子へ印加されてプリセットされ、その後の内部電源のオンで、内部電源から切換スイッチを経て前記ＣＫ端子に入力されるオン電源に応答してリセットされ、前記第１の論理状態の信号を出力する。
第１の論理状態の信号出力により、オペレータなどは、外部電源使用必要時において、切換スイッチが外部電源に切換設定されていないこと，あるいはＡＣアダプタのプラグがジャックに挿入されていないことに気付き、即、正常な設定を行うことができる。
【００１０】
【発明の実施の形態】
以下、実施の形態により、この発明をさらに詳細に説明する。以下、実施形態として、本体装置としての複合機に、オプション機器が接続される場合について説明する。
【００１１】
図１は、この発明の一実施形態の本体装置である複合機能を有するファクシミリ装置（複合機）１８の構成を示すブロック図である。このファクシミリ装置１８は、ＮＣＵ１と、ＭＯＤＥＭ２と、画像メモリ３と、ＲＡＭ４と、フラッシュメモリ（ＲＯＭ）５と、ＭＰＵ６と、表示部７と、操作部８と、スキャナ（読取部）９と、プリンタ１０と、ＣＯＤＥＣ１１と、オプションＩ／Ｆ１２と、電源回路１３と、バス１４とを備えている。
【００１２】
ＮＣＵ１は、電話回線１５との接続を制御するとともに、相手先の電話番号（対応したダイヤル信号）の送出及び着信を検出するための機能を備えている。ＭＯＤＥＭ２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。また、ＭＯＤＥＭ２は、ナンバーディスプレイ情報を受信するためにＶ２３の復調機能も備えている。画像メモリ３は、受信画像データやスキャナ９で読み取った原稿画像データを一時的に記憶する。ＲＡＭ４は、ＦＡＸ転送ＯＮ、ファックス−電子メール転送ＯＮを記憶登録する。
【００１３】
ＭＰＵ６は、ＣＰＵで構成され、フラッシュメモリ５に記憶されたプログラムに従い、ファクシミリ装置を構成する各部を制御する。表示部７は、ファクシミリ装置の動作状態等の各種情報を表示する。操作部８は、テンキー、スタートキー、その他のキーで構成される。ＦＡＸ転送ＯＮ、ファックス−電子メール転送ＯＮを設定するキーも備えている。スキャナ９は、原稿上の画像データを読み取って、白黒２値のイメージデータを出力する。プリンタ１０は、電子写真式のプリンタであり、受信画像データや、コピー動作においてスキャナ９で読み取った原稿の画像データを記録紙上に記録する。オプションＩ／Ｆ１２は、これを介して外部のオプション機器を接続する。
【００１４】
図２は、この実施形態のオプション（付属）機器２０の回路構成を示すブロック図である。このオプション機器２０は、ＭＰＵ２１と、フラッシュメモリ２２と、ＲＡＭ２３と、ＤＰＲＡＭ２４と、ＬＡＮＩ／Ｆ２５と、オプションＩ／Ｆ２６と、電源判定回路２７とを備えている。電源判定回路２７は、装置本体１８からの電源電圧の供給を受けるとともに、外部電源を供給するためのＡＣアダプタ２８が接続されるようになっている。
【００１５】
この電源判定回路２７は、図３に示すように、本体装置１８からの内部電源とＡＣアダプタ２８からの外部電源とを切り換える切換スイッチ３１を備え、この切換スイッチ３１の切換端子３１A に、本体装置の電源回路１３からの内部電源Ｖcc（Ａ）が接続され、切換端子３１B にジャック３２の軸端子３２ａが接続されている。ジャック３２の接片端子３２ｂは、接地接続されている。また、切換スイッチ３１の共通端子３１ｃと切換端子３１B 間にダイオード３３が接続され、切換スイッチ３１の切換端子３１A と、３１ｃが閉結している場合Ｖｃｃ（Ｂ）がＶｃｃへ流入することを防いでいる。ジャック３２の軸端子３２ａと接触端子３２ｃ間に抵抗３４が接続されている。なお、図示しないが、Ｄ型フリップフロップ３６は、Ｖｃｃ（Ｂ）を電源としている。
【００１６】
切換スイッチ３１の共通端子３１ｃは、バッファ３５を介してＤ型フリップフロップ３６のＣＫ端子に接続されている。Ｄ型フリップフロップ３６のクリア（ＣＬＲ）端子には、ジャック３２の接触端子３２ｃが接続され、Ｄ端子は接地接続されている。また、ジャック３２の軸端子３２ａからのＶcc（Ｂ）電圧が、遅延素子３７を介してＤ型フリップフロップ３６のプリセット（ＰＲ）端子に加えられる。Ｄ型フリップフロップ３６の出力端子ＱがオプションＭＰＵ２１の入力ポートに接続されている。
【００１７】
このオプション機器２０において内部電源を使用すべき場合に、電源判定回路２７の切換スイッチ３１が切換端子３１A 側に投入されていると、本体装置の電源回路１３からの内部電源Ｖcc（Ａ）が選択されて、共通端子３１ｃを経て、電源電圧Ｖccをオプション機器２０の回路各部に供給する。内部電源を使用する場合は、ジャック３２にＡＣアダプタ２８のプラグが挿入されていないので、ジャック３２の接触端子３２ｃが接片端子３２ｂに接しており、ジャック３２の接触端子３２ｃは接地されている。そのためＤ型フリップフロップ３６のＣＬＲ端子は接触端子３２ｃよりクリア信号を受けており、Ｄ型フリップフロップ３６のＱ端子は「Ｌ」のままである。また、内部電源を使用すべき場合に、切換スイッチ３１が切換端子３１B 側に投入されていると、ジャック３２にＡＣアダプタ２８のプラグが挿入されていないので、この場合は、オプション機器に電源が供給されない。このため、判定そのものができない。
次に、このオプション機器２０において、外部電源を使用すべき場合について説明する。先ず切換スイッチ３１が切換端子３１Ａ側に閉結されている場合、つまり切換スイッチ３１が本体装置１８の電源側に選択されている場合を想定する。
オペレータは本体電源投入前にＡＣアダプタ２８のプラグをジャック３２に挿入する。このＡＣアダプタ２８のプラグ挿入により、外部電源Ｖcc（Ｂ）が遅延素子３７を経て、Ｄ型フリップフロップ３６のＰＲ端子に加えられ、Ｄ型フリップフロップ３６がプリセットされ、Ｑ端子より「Ｈ」を出力する。この後に、本体装置１８の電源が投入され、切換スイッチ３１が切換端子３１A 側に閉結されているので、ジャック３２にＡＣアダプタ２８のプラグが挿入されていても、オプション機器には、この時点で本体装置１８の内部電源Ｖcc（Ａ）が供給される。この本体装置１８よりの電源ＯＮで、Ｖcc（Ａ）が切換スイッチ３１の切換端子３１A 、共通端子３１ｃを経て、Ｄ型フリップフロップ３６のＣＫ端子に入力され、その立ち上がりでＤ端子の入力（接地電位）を読み込むので、Ｑ端子は「Ｌ」を出力する。このＱ＝「Ｌ」は、本体装置１８に接続されるオプションがフル装備であるにもかかわらず、外部電源の接続が正常でないことを示している。この旨をＭＰＵ２１、ＤＲＡＭ２４、オプションＩ／Ｆ１２を介してＭＰＵ６に報知することにより、外部電源を使用すべきときに、正しく外部電源が供給されていず、使用されていないことを、本体装置１８の表示部７に表示するなどして、オペレータに知らせることができる。
【００１８】
また、外部電源を使用する場合において、ジャック３２にＡＣアダプタ２８のプラグが接続された後、切換スイッチ３１が切換端子３１Ｂ側に閉結された状態で、つまり切換スイッチ３１が外部電源側に選択されている状態で、本体装置１８の電源が投入される場合には、外部電源接続時にＡＣアダプタ２８よりの外部電源がジャック３２の軸端子３２ａ、切換スイッチ３１の切換端子３１B 、共通端子３１ｃを経て、Ｄ型フリップフロップ３６のＣＫ端子に入力される。ＣＫ端子、ＣＬＲ端子と電源電圧Ｖｃｃ（Ｂ）は、ＡＣアダプタ２８のプラグが接続されると同時に立ち上がるが、Ｄ型フリップフロップ３６のＰＲ端子には、Ｖcc（Ｂ）が遅延素子３７を介して加えられる。このＰＲ端子が「Ｈ」になるまでの期間に、Ｄ型フリップフロップ３６はプリセットされ、Ｑ端子は「Ｈ」となる（図４の波形参照）。このＱ＝「Ｈ」は、本体装置１８に接続されるオプションがフル装備であり、且つ切換スイッチによる外部電源の接続（選択）が正常であることを示している。なお、この実施の形態では、異常が生じた場合のみ、本体装置１８の表示部７に異常を表示するようにしているが、正常の場合にもその旨を表示するよう構成することもできる。
【００１９】
この発明によれば、切換スイッチが内部電源側に投入されており、外部電源が接続されていない場合、及び切換スイッチが内部電源側に投入されており、外部電源が接続されている場合と、切換スイッチが外部電源側に投入されており、外部電源が接続されている場合とを区別してＤ型フリップフロップに記憶して、このＤ型フリップフロップより電源接続の異常の有無を示す論理信号を出力するので、オプションの数・組み合せによって、外部電源が必要となっているにも関わらず、電源の切換スイッチが外部電源でなく、装置本体からの内部電源に設定されている場合、外部電源が接続されていない場合に、本体装置の表示部に異常として表示することができ、サービスマンに設定の不備を報知し、外部電源の接続及びスイッチの切換を確実に行わせ、電圧低下によるオプションの動作不良を防止することができる。
【図面の簡単な説明】
【図１】この発明の一実施形態のオプション機器が接続される本体装置の構成を示すブロック図である。
【図２】同本体装置に接続されるオプション機器の構成を示す図である。
【図３】同オプション機器の電源判定回路の具体回路を示す回路図である。
【図４】同電源判定回路の判定処理を説明するための各部波形図である。
【符号の説明】
１８              本体装置
２０              オプション機器
２１              オプション機器のＭＰＵ
２６              オプション機器のオプションＩ／Ｆ
２７              電源判定回路
２８              ＡＣアダプタ
３１              切換スイッチ
３２              ジャック
３６              Ｄ型フリップフロップ
３７              遅延素子
【図１】
0004120498.tif 000002
【図２】
0004120498.tif 000003
【図３】
0004120498.tif 000004
【図４】
0004120498.tif 000005